【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
デブリを検出する装置であって、
検出器であって、無線電力伝送システムの電源と受電装置の間に該検出器が位置する場合、前記電源と前記受電装置の間の磁場に応じて電気信号を生成するように構成された検出器と、
前記検出器に連結された制御電子装置であって、
前記電源と前記受電装置の間の磁場に応じて前記検出器の前記電気信号を測定し、
ベースライン情報を測定された前記電気信号と比較することによって前記電源と前記受電装置の間にデブリがあるか否かを決定するように構成された制御電子装置とを備え、
前記ベースライン情報は、前記電源と前記受電装置の間にデブリがない場合、前記検出器によって生成された電気信号に関する情報を含み、
前記制御電子装置は、前記ベースライン情報の平均および共分散行列を決定し、該平均および共分散行列に基づいて前記電源と前記受電装置の間にデブリがあるか否かを決定することによって、前記ベースライン情報を測定された前記信号と比較するように構成された装置。
【請求項２】
請求項１に記載の装置において、前記制御電子装置は、前記電源を起動して前記電源と前記受電装置の間に磁場を生成するように構成された装置。
【請求項３】
請求項１に記載の装置において、前記制御電子装置に連結された補助コイルを更に備える装置。
【請求項４】
請求項３に記載の装置において、前記補助コイルは、第１面を規定する平面コイルを形成するように配置された導電材料の１つ以上のループを含み、前記検出器は、前記第１面と略平行な第２面にそれぞれ位置する導電材料の１つ以上のループを含む装置。
【請求項５】
請求項４に記載の装置において、前記検出器は前記電源と前記受電装置の間に位置する導電材料の複数のループを含み、前記複数のループは平面内で相互に離間され、隣接するループ間の間隔が変化する装置。
【請求項６】
請求項４に記載の装置において、前記制御電子装置は、前記補助コイルを起動して前記電源と前記受電装置の間に磁場を生成するように構成された装置。
【請求項７】
請求項４に記載の装置において、前記補助コイルによって生成された前記磁場は、前記第１面に垂直な方向に配向された磁気双極子モーメントを有する装置。
【請求項８】
請求項７に記載の装置において、前記補助コイルによって生成された前記磁場の前記磁気双極子モーメントは、前記制御電子装置によって前記電源が起動されたときに前記電源によって生成された磁場の磁気双極子モーメントの方向に略垂直である装置。
【請求項９】
請求項１に記載の装置において、前記制御電子装置は、前記平均および共分散行列に基づいて前記電源と前記受電装置の間にデブリがある尤度値を計算するように構成された装置。
【請求項１０】
請求項９に記載の装置において、前記制御電子装置は、前記尤度値に基づき、前記電源と前記受電装置の間にデブリがある確率を０〜１の間で計算するように構成された装置。
【請求項１１】
請求項９に記載の装置において、前記制御電子装置は、前記尤度値を閾値尤度値と比較することにより、前記電源と前記受電装置の間にデブリがある確率を０〜１の間で計算するように構成された装置。
【請求項１２】
請求項１に記載の装置において、前記制御電子装置は前記ベースライン情報を取得するように構成された装置。
【請求項１３】
請求項１２に記載の装置において、前記制御電子装置は電子記憶装置から前記ベースライン情報を取り出すことにより、該ベースライン情報を取得するように構成された装置。
【請求項１４】
請求項１２に記載の装置において、前記制御電子装置は近傍にデブリのない電源を起動して前記検出器によって磁束を生成し、前記検出器の前記磁束に応じた前記電気信号を測定することによって前記ベースライン情報を取得するように構成された装置。
【請求項１５】
請求項１４に記載の装置において、前記制御電子装置は、前記電源を起動し、前記電源と前記受電装置とをなくとも少なくとも部分的に整合させて前記検出器の前記電気信号を測定するように構成された装置。
【請求項１６】
請求項１４に記載の装置において、前記制御電子装置は、前記電源を起動し、前記電源と前記受電装置の間に電力伝送を生じさせずに、前記検出器の前記電気信号を測定するように構成された装置。
【請求項１７】
請求項１４に記載の装置において、前記制御電子装置は、前記磁束に応じて、前記検出器の電気信号を複数回測定することによって前記ベースライン情報を取得するように構成され、前記平均および共分散行列は前記電気信号の前記複数の測定からの寄与を含む装置。
【請求項１８】
請求項１に記載の装置において、前記検出器によって生成された前記電気信号は、電圧および電流のうちの少なくとも１つを含む装置。
【請求項１９】
請求項１に記載の装置において、前記検出器は前記電源と前記受電装置の間に位置する導電材料の複数のループを含む装置。
【請求項２０】
請求項１に記載の装置において、前記ベースライン情報は、前記検出器によって生成される複数の電気信号に関する情報を含み、前記複数の電気信号は、前記システムの異なる複数の動作状態に対応し、前記制御電子装置は、測定された前記信号を前記システムの前記動作状態に対応する前記ベースライン情報の一部と比較するように構成された装置。
【請求項２１】
請求項２０に記載の装置において、前記異なる複数の動作状態は、前記電源と前記受電装置の間の異なる複数の整合に対応し、前記検出器は導電材料の複数のループを含み、その各々は前記電源が磁場を生成する際に電気信号を生成するように構成され、前記制御電子装置は前記複数のループの少なくともいくつかによって生成された電気信号を測定し、測定された該電気信号に基づいて前記電源と前記受電装置の間の不整合に関する情報を決定するように構成された装置。
【請求項２２】
請求項２１に記載の装置において、前記制御電子装置は、前記複数のループの少なくともいくつかによって生成された電気信号を比較することにより、前記不整合に関する情報を決定するように構成された装置。
【請求項２３】
請求項１に記載の装置において、前記制御電子装置は、前記電源と前記受電装置の間にデブリがある場合、前記電源と前記受電装置の間の無線電力伝送を中断するように構成された装置。
【請求項２４】
請求項１に記載の装置において、前記制御電子装置は、前記電源と前記受電装置の間にデブリがある場合、前記電源と前記受電装置の間のエネルギー伝送速度を下げるように構成された装置。
【請求項２５】
請求項１に記載の装置において、前記制御電子装置は、前記電源と前記受電装置の間にデブリある場合、前記装置のユーザに警告インジケータを提供するように構成された装置。
【請求項２６】
方法であって、
無線電力伝送システムの電源と受電装置の間に磁場を生成するステップと、
前記電源と前記受電装置の間に位置する検出器によって生成された電気信号を前記磁場に応じて測定するステップと、
ベースライン情報を測定された前記電気信号と比較することによって前記電源と前記受電装置の間にデブリがあるか否かを決定するステップとを含み、
前記ベースライン情報は、前記電源と前記受電装置の間にデブリがない場合、前記検出器によって生成された電気信号に関する情報を含み、
前記ベースライン情報を測定された前記信号と比較するステップは、前記ベースライン情報の平均および共分散行列を決定し、該平均および共分散行列に基づき前記電源と前記受電装置の間にデブリがあるか否かを決定するステップを含む方法。
【請求項２７】
請求項２６に記載の方法において、前記平均および共分散行列に基づき、前記電源と前記受電装置の間にデブリがある尤度値を決定するステップをさらに含む方法。
【請求項２８】
請求項２７に記載の方法において、前記尤度値に基づき、前記電源と前記受電装置の間にデブリがある確率を０〜１の間で決定するステップをさらに含む方法。
【請求項２９】
請求項２７に記載の方法において、前記尤度値を閾値尤度値と比較することによって、前記電源と前記受電装置の間にデブリがあるか否かを決定するステップをさらに含む方法。
【請求項３０】
請求項２６に記載の方法において、前記検出器によって磁束を生成するために、近傍にデブリのない前記電源を起動することによって前記ベースライン情報を取得するステップと、前記磁束に応じた前記検出器の前記電気信号を測定するステップとをさらに含む方法。
【請求項３１】
請求項３０に記載の方法において、前記電源を起動して、前記電源と前記受電装置とを少なくとも部分的に整合させて前記検出器の前記電気信号を測定するステップをさらに含む方法。
【請求項３２】
請求項３０に記載の方法において、前記電源を起動して、前記電源と前記受電装置の間に電力伝送を生じさせずに前記検出器の前記電気信号を測定するステップをさらに含む方法。
【請求項３３】
請求項２６に記載の方法において、前記電源と前記受電装置の間にデブリがある場合、前記電源と前記受電装置の間の無線電力伝送を中断するステップをさらに含む方法。
【請求項３４】
請求項２６に記載の方法において、前記電源と前記受電装置の間にデブリがある場合、前記電源と前記受電装置の間のエネルギー伝送速度を下げるステップをさらに含む方法。
【請求項３５】
請求項２６に記載の方法において、前記電源と前記受電装置の間にデブリがある場合、警告インジケータを提供するステップをさらに含む方法。